(57)【要約】【課題】卵の大きさにかかわらず、好みの形に焼くことが可能な目玉焼き成型器を提供する。【解決手段】加熱調理器具の平坦な加熱面の上に載せて目玉焼きを調理するための調理器具で、外枠１と内枠２と結合部３と把手４とを有する。外枠１は、長方形の枠状であって、加熱面の上で卵の白身の外形を成型するための枠である。内枠２は、円形の枠状であって、外枠１の内側に設けられる。内枠２は、卵の黄身の外形を成型するための枠である。内枠２の高さは、外枠１の高さより低い。内枠２は、卵の黄身を保持し白身を通過可能な複数の開口２１を下端２２に等間隔で有する。結合部３は、長方形の外枠１の２つの短辺部の上端と内枠２の上端とを結合している。把手４は、結合部３に固定されている。外枠１および内枠２の平面形状、配置および寸法比は、日本国旗の白地および赤地の形状、配置および寸法比に設定される。【選択図】図１
0003212991.tif 000002
【実用新案登録請求の範囲】
【請求項１】
加熱調理器具の平坦な加熱面の上に載せて目玉焼きを調理するための目玉焼き成型器であって、
前記加熱面の上で卵の白身の外形を成型するための外枠と、
卵の黄身を保持し白身を通過可能な開口を下端に有して前記外枠の内側に設けられた、卵の黄身の外形を成型するための内枠と、
前記外枠と前記内枠とを結合する結合部と、
前記外枠、前記内枠または前記結合部に設けられた把手とを、
有することを特徴とする目玉焼き成型器。
【請求項２】
前記外枠および前記内枠の平面形状、配置および寸法比が日本国旗の白地および赤地の形状、配置および寸法比に設定されていることを、特徴とする請求項１記載の目玉焼き成型器。
【考案の詳細な説明】
【技術分野】
【０００１】
本考案は、目玉焼き成型器に関する。
【背景技術】
【０００２】
従来の目玉焼き成型器として、筒形状の内枠の外側に複数の連結杆を放射状に介在させて筒形状の外枠を、内枠よりやや下方に位置するように設け、連結杆の任意の部位に把手を設けたものが開示されている（例えば、特許文献１参照）。
【先行技術文献】
【特許文献】
【０００３】
【特許文献１】実開平７−９２２９号公報
【考案の概要】
【考案が解決しようとする課題】
【０００４】
特許文献１の目玉焼き成型器は、内枠内に卵を流し込むと、内枠とフライパンの底面との間から白身だけが流れ出して外枠の内側面に広がるようになっているが、卵の大きさは様々であり、小さい卵では内枠とフライパンの底面との間隔が広すぎると黄身も外枠に広がってしまい、大きい卵では間隔が狭すぎると白身が外枠に広がりにくく、好みの形に焼きにくいという課題があった。
【０００５】
本考案は、このような課題に着目してなされたもので、卵の大きさにかかわらず、好みの形に焼くことが可能な目玉焼き成型器を提供することを目的とする。
【課題を解決するための手段】
【０００６】
上記目的を達成するために、本考案に係る目玉焼き成型器は、加熱調理器具の平坦な加熱面の上に載せて目玉焼きを調理するための目玉焼き成型器であって、前記加熱面の上で卵の白身の外形を成型するための外枠と、卵の黄身を保持し白身を通過可能な開口を下端に有して前記外枠の内側に設けられた、卵の黄身の外形を成型するための内枠と、前記外枠と前記内枠とを結合する結合部と、前記外枠、前記内枠または前記結合部に設けられた把手とを、有することを特徴とする。
【０００７】
本考案に係る目玉焼き成型器は、加熱調理器具の平坦な加熱面の上に載せて目玉焼きを調理するために用いられる。加熱調理器具としては、例えばフライパンや焼き肉用鉄板などが挙げられる。内枠内に生卵を落とし入れると、内枠内に黄身が残り、白身のみが開口を通って外枠内に広がる。黄身と白身が焼き上がったならば、把手を持って加熱調理器具の上から移動させる。こうして、加熱調理器具の上に黄身が内枠の形で、白身が外枠の形の目玉焼きを焼き上げることができる。
【０００８】
内枠の下端と外枠の下端の高さは、同じであってもよいが、内枠の下端が外枠の下端より高い位置にあることが好ましい。この場合、白身を外枠内にさらに広がりやすくすることができる。また、卵は、鶏卵のほか、ウズラの卵やアヒルの卵などの卵であってもよい。本考案に係る目玉焼き成型器は、家庭用のほか、業務用であってもよい。
【０００９】
本考案に係る目玉焼き成型器では、前記外枠および前記内枠の平面形状、配置および寸法比が日本国旗の白地および赤地の形状、配置および寸法比に設定されていることが好ましい。
この場合、日本国旗のデザインの目玉焼きを楽しむことができる。なお、内枠内の黄身の上にトマトケチャップを乗せると、色彩的にさらに日本国旗らしく仕上げることができる。
【考案の効果】
【００１０】
本考案によれば、卵の大きさにかかわらず、好みの形に焼くことが可能な目玉焼き成型器を提供することができる。
【図面の簡単な説明】
【００１１】
【図１】本考案の実施の形態の目玉焼き成型器を示す斜視図である。
【図２】図１の目玉焼き成型器を示す分解斜視図である。
【図３】図１の目玉焼き成型器を示す底面側斜視図である。
【図４】図１の目玉焼き成型器を示す縦断面図である。
【図５】図１の目玉焼き成型器を示す横断面図である。
【図６】日本国旗の寸法比を示す正面図である。
【考案を実施するための形態】
【００１２】
以下、図面に基づき本考案の実施の形態について説明する。
図１〜図５は、本考案の実施の形態を示している。
図１〜図５に示すように、目玉焼き成型器は、加熱調理器具の平坦な加熱面の上に載せて目玉焼きを調理するための調理器具である。目玉焼き成型器は、全体が鉄、銅、アルミニウムなどの金属、セラミックまたはシリコンなどの耐熱樹脂から成っている。目玉焼き成型器は、外枠１と内枠２と結合部３と把手４とを有している。
【００１３】
外枠１は、長方形の枠状であって、加熱面の上で卵の白身の外形を成型するための枠である。内枠２は、円形の枠状であって、外枠１の内側に設けられている。内枠２は、卵の黄身の外形を成型するための枠である。内枠２の高さは、外枠１の高さより低くなっている。内枠２は、卵の黄身を保持し白身を通過可能な複数の開口２１を下端２２に等間隔で有している。
【００１４】
結合部３は、第１結合部３ａと第２結合部３ｂとから成っている。第１結合部３ａおよび第２結合部３ｂは、それぞれ細長い板状で、長方形の外枠１の２つの短辺部の上端と内枠２の上端とを結合している。これにより、外枠１を平坦面上に配置したとき、内枠２の下側には間隙が設けられる。外枠１と内枠２と結合部３とは、一体をなしている。第１結合部３ａには、長さ方向に間隔をあけて２つの取付孔３１が形成されている。
【００１５】
把手４は、クランク状に折れ曲がった板状であり、上段部４ａと下段部４ｂとを有している。下段部４ｂには、第１結合部３ａの取付孔３１と一致する取付孔４１が形成されている。下段部４ｂは、各取付孔３１および各取付孔４１にリベット４２を挿入することにより第１結合部３ａに固定されている。なお、把手４の下段部４ｂは、第１結合部３ａを兼ねていてもよい。上段部４ａの端部には、吊下用孔４３が形成されている。
【００１６】
外枠１および内枠２の平面形状、配置および寸法比は、日本国旗の白地および赤地の形状、配置および寸法比に設定されている。すなわち、図６に示すように、Ａ：Ｂ：Ｄ：Ｅ：Ｆ＝３：２：３／５：１／５：１／５の比率に設定されている。
【００１７】
次に、作用について説明する。
本考案の実施の形態の目玉焼き成型器は、フライパンの平坦な加熱面の上に載せて目玉焼きを調理するために用いられる。フライパンの代わりに焼き肉用鉄板を用いてもよい。フライパンの上と目玉焼き成型器の外枠１の内側および内枠２の内側に食用油を塗っておく。内枠２内に鶏卵の生卵を落とし入れると、内枠２内に黄身が残り、白身のみが開口２１を通って外枠１内に広がる。黄身と白身が焼き上がったならば、把手４を持って加熱調理器具の上から移動させる。こうして、加熱調理器具の上に黄身が内枠２の形で、白身が外枠１の形の目玉焼きを焼き上げることができる。
【００１８】
外枠１をフライパンの平坦面上に配置したとき、内枠２の下端２２は外枠１の下端２２より高い位置にあり、内枠２の下側に間隙が設けられるので、内枠２内の白身は開口２１のほか間隙を通って外枠１内に広がりやすくなっている。
調理した目玉焼きは、日本国旗のデザインでできあがる。このため、日本国旗のデザインの目玉焼きを楽しむことができる。内枠２内の黄身の上にトマトケチャップを乗せると、色彩的にさらに日本国旗らしく仕上げることができる。
なお、卵は、鶏卵のほか、ウズラの卵やアヒルの卵などの卵であってもよい。目玉焼き成型器は、家庭用のほか、業務用であってもよい。
【符号の説明】
【００１９】
１  外枠
２  内枠
３  結合部
３ａ  第１結合部
３ｂ  第２結合部
４  把手
４ａ  上段部
４ｂ  下段部
２１  開口
２２  下端
３１  取付孔
４１  取付孔
４２  リベット
４３  吊下用孔
【図１】
0003212991.tif 000003
【図２】
0003212991.tif 000004
【図３】
0003212991.tif 000005
【図４】
0003212991.tif 000006
【図５】
0003212991.tif 000007
【図６】
0003212991.tif 000008